(57)【要約】【解決手段】複数の信号端子部１０が底壁部３の後端縁部３ａに沿って並設されている。配線基板に対する各信号端子部１０の半田付け面１０ａを一平面Ｐ１０上に配設している。各信号端子部１０の半田付け面１０ａの並設方向Ｙの両側で底壁部３の後端縁部３ａから保持突部１１を一体成形している。各信号端子部１０の半田付け面１０ａを並設方向Ｙへ結ぶ領域Ｓ内に、配線基板に対する各保持突部１１の半田付け面１１ａの一部を配設している。各信号端子部１０の半田付け面１０ａを含む平面Ｐ１０と各保持突部１１の半田付け面１１ａを含む平面とを略一致させている。【効果】コネクタレセプタクルの外形サイズを大きくしないで配線基板に対するコネクタレセプタクルの接合強度を向上させることができる。【選択図】図２
2008243536.tif 000002
【特許請求の範囲】
【請求項１】
プラグが挿脱される開口部を有する金属シェル内にそのプラグが接続されるポストを設け、このポストに設けた複数の信号端子部を開口部に対する反対側で金属シェルの底壁部の端縁部に面して露出させてプラグ挿脱方向に対し直交する方向へ底壁部の端縁部に沿って並設したコネクタレセプタクルにおいて、この金属シェルと一体に形成されて各信号端子部とともに配線基板に半田付けされる保持突部を、金属シェルの底壁部の端縁部から突出させて各信号端子部の並設方向の両側に配置したことを特徴とするコネクタレセプタクル。
【請求項２】
前記各信号端子部の半田付け面を並設方向へ結ぶ領域内に、配線基板に対する各保持突部の半田付け面のうち少なくとも一部を配設したことを特徴とする請求項１に記載のコネクタレセプタクル。
【請求項３】
前記底壁部の端縁部に対する各保持突部の境界部において各信号端子部の並設方向でなす寸法を、各保持突部において各信号端子部の並設方向でなす寸法よりも小さく設定したことを特徴とする請求項１または請求項２に記載のコネクタレセプタクル。
【請求項４】
請求項１から請求項３のうちいずれかの請求項に記載のコネクタレセプタクルの各保持突部の半田付け面が接合される配線基板の半田付け部において、底壁部の端縁部に対する各保持突部の境界部に面する部分に欠損部を形成したことを特徴とする配線基板に対するコネクタレセプタクルの実装構造。
【発明の詳細な説明】
【技術分野】
【０００１】
本発明は、例えばＵＳＢ規格に準拠した小型コネクタにおいてプラグが接続されるコネクタレセプタクル、並びに、このコネクタレセプタクルを配線基板に対し実装する構造に関するものである。
【背景技術】
【０００２】
従来、下記特許文献１のコネクタレセプタクルでは、図５（ａ）（ｂ）に示すように、複数の信号端子部１０が金属シェル１の底壁部３の後端縁部３ａに面して露出してその後端縁部３ａに沿って並設されているとともに、その底壁部３の左右両端縁部３ｂ，３ｃで略Ｌ字型の前後両半田接合脚部１６が互いに離間して金属シェル１と一体に形成されている。これらの半田接合脚部１６は各信号端子部１０とともに配線基板に半田接合される。
【特許文献１】特開２００７−５９３５１号公報
【発明の開示】
【発明が解決しようとする課題】
【０００３】
前述したように略Ｌ字型の半田接合脚部１６を設ければ、接合強度は向上するが、平面側から見て各半田接合脚部１６が左右両側方へ突出するので、平面側から見たコネクタレセプタクルの外形サイズが大きくなる問題点があった。また、ねじりやこじりに対する固定強度の向上も求められていた。
【０００４】
この発明は、半田により配線基板に実装するコネクタレセプタクルにおいて、その外形サイズを大きくしないで配線基板に対する接合強度を向上させることを目的としている。
【課題を解決するための手段】
【０００５】
後記実施形態の図面（図１〜４）の符号を援用して本発明を説明する。
請求項１の発明にかかるコネクタレセプタクルは、下記のように構成されている。
このコネクタレセプタクルにおいては、プラグが挿脱される開口部７を有する金属シェル１内にそのプラグが接続されるポスト９を設け、このポスト９に設けた複数の信号端子部１０を開口部７に対する反対側で金属シェル１の底壁部３の端縁部３ａに面して露出させてプラグ挿脱方向Ｘに対し直交する方向Ｙへ底壁部３の端縁部３ａに沿って並設している。この金属シェル１と一体に形成されて各信号端子部１０とともに配線基板１８に半田付けされる保持突部１１を、金属シェル１の底壁部３の端縁部３ａから突出させて各信号端子部１０の並設方向Ｙの両側に配置している。
【０００６】
請求項１の発明では、各信号端子部１０の並設方向Ｙの両側のスペースを有効利用して各保持突部１１を配置しているので、平面側から見たコネクタレセプタクルの外形サイズを大きくせずに、配線基板１８に対するコネクタレセプタクルの接合強度を向上させることができる。
【０００７】
請求項１の発明を前提とする請求項２の発明においては、各信号端子部１０の半田付け面１０ａを並設方向Ｙへ結ぶ領域Ｓ内に、配線基板１８に対する各保持突部１１の半田付け面１１ａのうち少なくとも一部を配設している。
【０００８】
請求項２の発明では、コネクタレセプタクルに対するプラグの挿脱時等にコネクタレセプタクルに対しねじりやこじり等の力が働いても、各保持突部１１が各信号端子部１０の支えとなって配線基板１８から各信号端子部１０の半田付け面１０ａが剥離しにくくなる。
【０００９】
請求項１または請求項２の発明を前提とする請求項３の発明では、例えば前記底壁部３の端縁部３ａに沿ってスリット１２を形成することにより、この底壁部３の端縁部３ａに対する各保持突部１１の境界部１３ａにおいて各信号端子部１０の並設方向Ｙでなす寸法Ｗ１３を、各保持突部１１において各信号端子部１０の並設方向Ｙでなす寸法Ｗ１１よりも小さく設定している。
【００１０】
請求項３の発明では、底壁部３の端縁部３ａに対する各保持突部１１の境界部１３ａが狭くなっているため、各保持突部１１の半田付け面１１ａから半田が境界部１３ａを通って底壁部３側へ流出しにくくなり、配線基板１８に対する実装に必要な半田量を確保することができる。
【００１１】
請求項４の発明にかかる配線基板に対するコネクタレセプタクルの実装構造は、下記のように構成されている。
請求項１から請求項３のうちいずれかの請求項に記載のコネクタレセプタクルの各保持突部１１の半田付け面１１ａが接合される配線基板１８の半田付け部２０において、底壁部３の端縁部３ａに対する各保持突部１１の境界部１３ａに面する部分に欠損部２０ａ，２０ｂを形成している。
【００１２】
請求項４の発明では、配線基板１８の半田付け部２０の半田が境界部１３ａに対し欠損部２０ａ，２０ｂだけ離れるため、配線基板１８の半田付け部２０から半田が境界部１３ａを通って底壁部３側へ流出しにくくなり、配線基板１８に対する実装に必要な半田量を確保することができる。
【発明の効果】
【００１３】
本発明は、半田により配線基板１８に実装するコネクタレセプタクルにおいて、その外形サイズを大きくしないで配線基板１８に対する接合強度を向上させることができる。
【発明を実施するための最良の形態】
【００１４】
以下、本発明の一実施形態にかかるコネクタレセプタクル及びその実装構造について図１〜４を参照して説明する。
図１（ａ）に示すように、金属シェル１は、下側の底壁部３と上側の天壁部４と左右両側壁部５，６とを有する筒体２を備えている。この金属シェル１において筒体２の前側にある開口部７に対する反対側で筒体２の後側にある開口部は、図１（ｂ）に示すように、成形品である蓋壁８により塞がれている。この蓋壁８の内側にはポスト９が設けられている。この蓋壁８を筒体２の後側に挿着した状態では、図３（ｂ）に示すようにこのポスト９が金属シェル１内に収容される。図示しないプラグの端子は金属シェル１内に開口部７を通して挿脱されてポスト９に接続される。このポスト９に設けられた複数の信号端子部１０は、図２（ａ）（ｂ）に示すように、金属シェル１の底壁部３の後端縁部３ａに面して露出してプラグ挿脱方向である前後方向Ｘに対し直交する左右方向Ｙへ底壁部３の後端縁部３ａに沿って並設されている。
【００１５】
図１（ａ）（ｂ）及び図２（ａ）に示すように、前記各信号端子部１０の並設方向である左右方向Ｙの両側で底壁部３の後端縁部３ａから保持突部１１が一体成形されている。この保持突部１１においては、底壁部３の後端縁部３ａと左右両端縁部３ｂ，３ｃとの間の隅部でスリット１２が後端縁部３ａに沿って各信号端子部１０側へ延設され、この後端縁部３ａに対する境界部１３ａを含む基端突部１３から縦突部１４が前後方向Ｘへ突出しているとともに、この基端突部１３から横突部１５がスリット１２に沿って左右方向Ｙへ突出している。この境界部１３ａはスリット１２により狭められて左右方向寸法Ｗ１３をなす。この境界部１３ａの左右方向寸法Ｗ１３はこの基端突部１３及び横突部１５において各信号端子部１０の並設方向Ｙでなす左右方向寸法Ｗ１１よりも小さく設定されている。また、前記開口部７と各保持突部１１との間で底壁部３の左右両端縁部３ｂ，３ｃから脚突部１６が各保持突部１１に対し離間して一体成形されている。
【００１６】
前記各信号端子部１０の下側になる半田付け面１０ａは図２（ｂ）に示すように水平な一平面Ｐ１０上に配設されている。前記各保持突部１１の下側になる半田付け面１１ａは図３（ａ）に示すように水平な一平面Ｐ１１上に配設されている。前記各脚突部１６の下側になる半田付け面１６ａは図２（ｂ）に示すように外側へ向かうに従い下方へ極僅かに傾斜し、その半田付け面１６ａの先端部は図３（ａ）に示すように水平な一平面Ｐ１６上に配設されている。これらの平面Ｐ１０，Ｐ１１，Ｐ１６は、各信号端子部１０の半田付け時に各保持突部１１も各脚突部１６とともに半田付けされるように設定されている。
【００１７】
図２（ａ）に示すように、前記各信号端子部１０の半田付け面１０ａは前記各保持突部１１の半田付け面１１ａ間に配設されている。すなわち、この各信号端子部１０の半田付け面１０ａを左右方向Ｙへ結ぶ領域Ｓ内に、各保持突部１１の半田付け面１１ａのうち縦突部１４の半田付け面１１ａが配設され、各保持突部１１の半田付け面１１ａのうち横突部１５の半田付け面１１ａがその領域Ｓの外側でその領域Ｓに沿って延びている。
【００１８】
図４（ａ）（ｂ）に示す配線基板１８においては、前記各信号端子部１０の半田付け面１０ａが接合される導体パターン（半田付け部１９）と、各保持突部１１の半田付け面１１ａが接合される半田付け部２０と、前記各脚突部１６の半田付け面１６ａが接合される半田付け部２１とが所定パターン形状として設けられている。図４（ｃ）（ｄ）に示すように、各保持突部１１の半田付け面１１ａが接合された配線基板１８の半田付け部２０においては、各保持突部１１の境界部１３ａに面する部分に面取り斜面状の欠損部２０ａや直交面状の欠損部２０ｂが形成されている。
【００１９】
本実施形態は下記の効果を有する。
＊  各信号端子部１０の並設方向Ｙの両側で底壁部３の端縁部３ａに面するスペースを有効利用して各保持突部１１を配置しているので、図５に示す従来のコネクタレセプタクルと比較して、平面側から見たコネクタレセプタクルの外形サイズが大きくならない。
【００２０】
＊  各信号端子部１０の半田付け面１０ａの並設方向両側領域Ｓ内に、各保持突部１１の半田付け面１１ａのうち縦突部１４の半田付け面１１ａの一部を配設しているので、コネクタレセプタクルに対するプラグの挿脱時等にコネクタレセプタクルに対しねじりやこじり等の力が働いても、各保持突部１１が各信号端子部１０の支えとなって各保持突部１１を中心とするモーメント特に上下方向のモーメントが生じにくくなり、配線基板１８から各信号端子部１０の半田付け面１０ａが剥離しにくくなる。従って、配線基板１８に対するコネクタレセプタクルの固定強度を向上させることができる。
【００２１】
＊  底壁部３の後端縁部３ａと各保持突部１１との間の境界部１３ａをスリット１２により狭くできるため、また、その境界部１３ａに対し配線基板１８の半田付け部２０の半田が欠損部２０ａ，２０ｂだけ離れるため、半田が境界部１３ａを通って底壁部３側へ流出しにくくなる。従って、配線基板１８に対する実装に必要な半田量を確保して配線基板１８に対するコネクタレセプタクルの固定強度を向上させることができる。
【００２２】
＊  各保持突部１１の半田付け面１１ａと各脚突部１６の半田付け面１６ａとによる四箇所支持により、半田付け面積を増やすことができる。従って、配線基板１８に対するコネクタレセプタクルの固定強度を向上させることができる。
【００２３】
前記実施形態以外にも例えば下記のように構成してもよい。
・  前記実施形態において、各保持突部１１の半田付け面１１ａのうち縦突部１４の半田付け面１１ａを領域Ｓ内に配設しているが、各保持突部１１の半田付け面１１ａのうち縦突部１４の半田付け面１１ａに加えて横突部１５及び基端突部１３の半田付け面１１ａの一部または全部を領域Ｓ内に配設したりしてもよい。
【００２４】
・  前記各保持突部１１については、縦突部１４を備えたものを例示したが、これに限定されない。
・  前記実施形態において、各保持突部１１の半田付け面１１ａがなす平面Ｐ１１と、各脚突部１６の半田付け面１６ａがなす平面Ｐ１６とは、各信号端子部１０の半田付け面１０ａがなす平面Ｐ１０に対し極僅かな隙間を有しているが、これらの平面Ｐ１１，Ｐ１６，Ｐ１０を互いに一致させてもよい。
【図面の簡単な説明】
【００２５】
【図１】（ａ）は本実施形態にかかるコネクタレセプタクルを示す分解斜視図であり、（ｂ）は同じく組付け斜視図である。
【図２】（ａ）は図１（ｂ）の底面図であり、（ｂ）は同じく背面図である。
【図３】（ａ）は図１（ｂ）の右側面図であり、（ｂ）は同じく断面図である。
【図４】（ａ）は配線基板に実装した上記コネクタレセプタクルを示す斜視図であり、（ｂ）は配線基板における半田付け部のパターン形状を示す部分平面図であり、（ｃ）（ｄ）はそれぞれ配線基板に対する上記コネクタレセプタクルの実装構造を示す部分底面図である。
【図５】（ａ）は従来のコネクタレセプタクルを示す底面図であり、（ｂ）は同じく右側面図である。
【符号の説明】
【００２６】
１…金属シェル、３…底壁部、３ａ…底壁部の後端縁部、３ｂ…底壁部の左端縁部、３ｃ…底壁部の右端縁部、７…開口部、９…ポスト、１０…信号端子部、１０ａ…信号端子部の半田付け面、１１…保持突部、１１ａ…保持突部の半田付け面、１３ａ…境界部、１６…脚突部、１６ａ…脚突部の半田付け面、１８…配線基板、２０…配線基板の半田付け部、２０ａ，２０ｂ…欠損部、Ｓ…領域、Ｐ１０，Ｐ１１，Ｐ１６…平面、Ｗ１３…寸法、Ｘ…プラグ挿脱方向である前後方向、Ｙ…信号端子部並設方向である左右方向。
【図１】
2008243536.tif 000003
【図２】
2008243536.tif 000004
【図３】
2008243536.tif 000005
【図４】
2008243536.tif 000006
【図５】
2008243536.tif 000007